(57)【特許請求の範囲】
【請求項１】
ネットワークを介してユーザ端末からカードに記載された商品の配送要求を受け付け、該受け付けた配送要求に応じて販売業者に対して商品配送を指示すると共に前記カードが有効であるか否かを管理するサーバと、前記カードを販売する各店舗に設置された店舗端末とを備える商品販売システムであって、
前記カードには、カード毎に割り当てられたカードを識別する識別情報と、商品情報と、前記サーバが提供する注文ページを指定するサイト情報と、前記識別情報及び前記サイト情報を示す２次元コードとが記載され、
前記店舗端末は、前記カードに記載された２次元コードを読み取り前記識別情報及び前記サイト情報を取得し、この取得したサイト情報を用いて前記サーバにアクセスし、該サーバに該取得した識別情報を送信する販売受付処理手段を有し、
前記サーバは、
前記識別情報毎に、該識別情報で特定されるカードに記載された商品を特定する商品識別情報と、該カードの販売受付処理が行われたか否かを示す有効化情報と、該カードに記載された商品の販売業者情報とを関連付けて格納したカードデータベースと、
前記ユーザ端末に対してカードに記載された商品の配送先を受け付ける注文ページを提供して該商品の配送要求を受け付ける情報提供部と、
前記店舗端末から送信される識別情報を受信すると前記カードデータベースにアクセスし、該受信した識別情報に関連付けられた有効化情報に販売受付処理が行われたことを示す情報を格納するデータ登録管理部とを備え、
前記情報提供部は、
前記ユーザ端末から前記サイト情報を用いたアクセス要求を受け付けると、そのユーザ端末に該サイト情報により特定される注文ページを提供すると共に、前記識別情報の入力を受け付け、該受け付けた識別情報及び前記カードデータベースを用いて該識別情報により特定されるカードの販売受付処理が行われているか否かを判定し、前記販売受付処理が行われている場合に、前記注文ページ上から商品配送先情報の入力を受け付け、前記カードデータベースを参照して該受け付けた識別情報に対応付けられた販売業者及び商品情報を特定し、その販売業者に該識別情報に対応付けられた商品情報及び該配送先情報を提供し、
さらに、前記サーバは、前記カードに記載された商品を特定する商品識別情報毎に、その商品の発注期限及び出荷可能期間と、商品の賞味期限及び保存方法を含む商品説明情報とを関連付けて記憶した商品データベースを備え、
前記店舗端末にはプリンタが接続されており、
前記サーバのデータ登録管理部は、前記店舗端末から送信される識別情報を受信すると、前記カードデータベースを参照し、該受信した識別情報に関連付けられた商品識別情報を抽出し、この抽出した商品識別情報及び前記商品データベースを用いて前記抽出した商品識別情報により特定される商品の商品説明情報を読み出し且つ前記抽出した商品識別情報により特定される商品の発注期限及び出荷可能期間を示す情報を生成し、前記販売受付処理が行われたことを示す情報として、前記カードデータベースに該発注期限及び出荷可能期間を格納すると共に、前記店舗端末に前記発注期限、前記出荷可能期間及び前記商品説明情報を送信し、
前記店舗端末は、前記発注期限、前記出荷可能期間及び前記商品説明情報を受信すると、前記プリンタに、前記発注期限、前記出荷可能期間及び前記商品説明情報が含まれる附票を印刷させる
ことを特徴とする商品販売システム。
【請求項２】
前記情報提供部は、前記販売受付処理が行われていない場合に前記商品の配送要求を拒否する
ことを特徴とする請求項１に記載の商品販売システム。
【請求項３】
前記カードデータベースの各識別情報には、前記カードが利用されたか否かを示す利用区分が関連付けて登録されており、
前記情報提供部は、前記ユーザ端末から前記識別情報の入力を受け付けた場合に、前記カードデータベースを参照して、該受け付けた識別情報に関連付けられた利用区分が未使用である場合に前記配送要求を受け付けて前記販売業者に前記商品情報及び前記配送先情報を提供すると共に、前記カードデータベースの対応する利用区分を使用済みに更新し、該識別情報に関連付けられた利用区分が使用済であれば商品の配送要求を受け付けない
ことを特徴とする請求項１又は２記載の商品販売システム。
【請求項４】
ネットワークを介してユーザ端末からカードに記載された商品の配送要求を受け付け、該受け付けた配送要求に応じて販売業者に対して商品配送を指示すると共に前記カードが有効であるか否かを管理するサーバと、前記カードを販売する各店舗に設置された店舗端末とを備える商品販売システムを利用した商品販売方法であって、
前記カードには、カード毎に割り当てられたカードを識別する識別情報と、商品情報と、前記サーバが提供する注文ページを指定するサイト情報と、前記識別情報及び前記サイト情報を示す２次元コードとが記載され、
前記サーバは、
前記識別情報毎に、該識別情報で特定されるカードに記載された商品を特定する商品識別情報と、該カードの販売受付処理が行われたか否かを示す有効化情報と、該カードに記載された商品の販売業者情報とを関連付けて格納したカードデータベースと、
前記カードに記載された商品を特定する商品識別情報毎に、その商品の発注期限及び出荷可能期間と、商品の賞味期限及び保存方法を含む商品説明情報とを関連付けて記憶した商品データベースとを備え、
前記店舗でユーザに前記カードを販売する段階において、前記店舗端末が、前記カードに記載された２次元コードを読み取り前記識別情報及び前記サイト情報を取得し、この取得したサイト情報を用いて前記サーバにアクセスし、該サーバに該取得した識別情報を送信するステップと、
前記サーバが、前記店舗端末から送信される識別情報を受信すると、前記カードデータベースを参照し、該受信した識別情報に関連付けられた商品識別情報を抽出し、この抽出した商品識別情報及び前記商品データベースを用いて前記抽出した商品識別情報により特定される商品の商品説明情報を読み出し且つ前記抽出した商品識別情報により特定される商品の発注期限及び出荷可能期間を示す情報を生成し、前記販売受付処理が行われたことを示す情報として、前記カードデータベースに該発注期限及び出荷可能期間を格納すると共に、前記店舗端末に前記発注期限、前記出荷可能期間及び前記商品説明情報を送信するステップと、
前記店舗端末が、前記識別情報の送信に応じて前記サーバから送信される発注期限、前記出荷可能期間及び前記商品説明情報を受信し、前記発注期限、前記出荷可能期間及び前記商品説明情報が含まれる附票を印刷するステップと、
前記サーバが、
前記ユーザ端末から前記カードに記載されたサイト情報を用いたアクセス要求を受け付けて、そのユーザ端末に該サイト情報により特定される注文ページを提供すると共に、前記識別情報の入力を受け付けるステップと、
前記受け付けた識別情報に関連付けられた有効化情報が前記販売受付処理が行われたことを示す情報である場合に、前記注文ページ上から商品配送先情報の入力を受け付け、前記カードデータベースを参照して該受け付けた識別情報に対応付けられた販売業者及び商品情報を特定し、その販売業者に該識別情報に対応付けられた商品情報及び該配送先情報を提供するステップとを有する
ことを特徴とする商品販売システムを利用した商品販売方法。
【発明の詳細な説明】
【技術分野】
【０００１】
本発明は、商品販売システム及び商品販売方法に関し、例えば、観光地にあるお土産店等の店舗で販売される商品を販売するための商品販売システム及び商品販売方法に関する。
【背景技術】
【０００２】
観光地などを旅行したときに、お土産として、「海産物などの生もの」や「重量の嵩む商品」を購入すると、その後の移動において持ち運びが不便となる。そのため、従来から、お土産店等で商品を購入する際に、宅急便（登録商標）などを利用して自宅や知人宅に、購入した商品を配送することが行われている。
【０００３】
尚、お土産などの商品を手配する技術として、特許文献１に、旅行者の端末を介して、旅行用品、お土産を予約するシステムが開示されている。
【先行技術文献】
【特許文献】
【０００４】
【特許文献１】特開２００２−３２７９２号公報
【発明の概要】
【発明が解決しようとする課題】
【０００５】
しかしながら、上記の宅急便などにより商品を送る方法は、商品を持ち運ぶ労力を無くすことができるものの、以下に示す技術的課題を有している。具体的には、上記の宅急便などで商品を送る方法は、お土産等を配りたい相手の数が多い場合、店舗で多数の配送先（住所＆氏名）を記載する作業を行わなければならず、その手間が面倒であった。また、店先での配送受付作業は、店舗側にとっても、手間が面倒である。また、上記の宅急便で商品を送る方法は、商品購入者が配送先を事前に準備している（或いは、暗記している）場合にしか利用できないという課題も有している。また、上記の宅急便などにより商品を送る方法は、相手に対して、お土産を直接手渡すことができないという課題も有している（宅急便が配達されるまで、お土産を貰ったたことが判らない）。尚、特許文献１に記載のシステムは、お土産などの商品の予約ができるが、購入した商品を持ち運ぶ労力を無くしたり、商品の配送作業の手間を軽減したりする技術ではない。
【０００６】
本発明は上記課題に鑑みてなされたものであって、店舗で商品を購入した商品購入者の商品持ち運びの労力を無くすと共に、当該購入者及び店舗業者の商品配送の手間を軽減させることができる商品販売システム及び商品販売方法を提供することを目的とする。
【課題を解決するための手段】
【０００７】
上記技術的課題を解決するための本発明の第１態様は、ネットワークを介してユーザ端末からカードに記載された商品の配送要求を受け付け、該受け付けた配送要求に応じて販売業者に対して商品配送を指示すると共に前記カードが有効であるか否かを管理するサーバと、前記カードを販売する各店舗に設置された店舗端末とを備える商品販売システムであって、前記カードには、カード毎に割り当てられたカードを識別する識別情報と、商品情報と、前記サーバが提供する注文ページを指定するサイト情報と、前記識別情報及び前記サイト情報を示す２次元コードとが記載され、前記店舗端末は、前記カードに記載された２次元コードを読み取り前記識別情報及び前記サイト情報を取得し、この取得したサイト情報を用いて前記サーバにアクセスし、該サーバに該取得した識別情報を送信する販売受付処理手段を有し、前記サーバは、前記識別情報毎に、該識別情報で特定されるカードに記載された商品を特定する商品識別情報と、該カードの販売受付処理が行われたか否かを示す有効化情報と、該カードに記載された商品の販売業者情報とを関連付けて格納したカードデータベースと、前記ユーザ端末に対してカードに記載された商品の配送先を受け付ける注文ページを提供して該商品の配送要求を受け付ける情報提供部と、前記店舗端末から送信される識別情報を受信すると前記カードデータベースにアクセスし、該受信した識別情報に関連付けられた有効化情報に販売受付処理が行われたことを示す情報を格納するデータ登録管理部とを備え、前記情報提供部は、前記ユーザ端末から前記サイト情報を用いたアクセス要求を受け付けると、そのユーザ端末に該サイト情報により特定される注文ページを提供すると共に、前記識別情報の入力を受け付け、該受け付けた識別情報及び前記カードデータベースを用いて該識別情報により特定されるカードの販売受付処理が行われているか否かを判定し、前記販売受付処理が行われている場合に、前記注文ページ上から商品配送先情報の入力を受け付け、前記カードデータベースを参照して該受け付けた識別情報に対応付けられた販売業者及び商品情報を特定し、その販売業者に該識別情報に対応付けられた商品情報及び該配送先情報を提供し、さらに、前記サーバは、前記カードに記載された商品を特定する商品識別情報毎に、その商品の発注期限及び出荷可能期間と、商品の賞味期限及び保存方法を含む商品説明情報とを関連付けて記憶した商品データベースを備え、前記店舗端末にはプリンタが接続されており、前記サーバのデータ登録管理部は、前記店舗端末から送信される識別情報を受信すると、前記カードデータベースを参照し、該受信した識別情報に関連付けられた商品識別情報を抽出し、この抽出した商品識別情報及び前記商品データベースを用いて前記抽出した商品識別情報により特定される商品の商品説明情報を読み出し且つ前記抽出した商品識別情報により特定される商品の発注期限及び出荷可能期間を示す情報を生成し、前記販売受付処理が行われたことを示す情報として、前記カードデータベースに該発注期限及び出荷可能期間を格納すると共に、前記店舗端末に前記発注期限、前記出荷可能期間及び前記商品説明情報を送信し、前記店舗端末は、前記発注期限、前記出荷可能期間及び前記商品説明情報を受信すると、前記プリンタに、前記発注期限、前記出荷可能期間及び前記商品説明情報が含まれる附票を印刷させることを特徴とする。又、前記情報提供部は、前記販売受付処理が行われていない場合に前記商品の配送要求を拒否するようになっている。
【０００８】
上記の構成により、店舗でカードを購入したユーザは、店舗で商品の配送先（住所＆氏名）を記載する手間から開放される。また、上記の構成により、店舗側においても、店先での配送受付作業が無くなるため、店舗業務が軽減される。また、上記の構成により、店舗でカードを譲渡されたユーザや、当該ユーザからカードを貰ったユーザは、自身のユーザ端末から好きな時期に、商品配送の手配ができる。そのため、例えば、旅行の予定があるときなどは、その予定期間を外して、商品配送の手配ができ、タイミング良く正味期限がある商品等を取得することが可能になる。また、上記構成により、住所を知らない相手に、お土産等の商品をプレゼントすることができる。また、商品が「生もの」の場合、その商品の代わりにカードを持ち帰ればいいため、途中で（旅行中や帰宅途中に）、商品をくさらしたりすることがない。また、カードは、商品と比べて軽いため、持ち運びに便利である。また、本発明によれば、においの強い商品を購入する場合も、それを運ばなくてよいため、電車やバスのなかで、他人に迷惑をかけることがない。また、上記構成によれば、お土産を相手に渡したい場合に、相手に対して、カードを直接渡すことができる。また、上記の構成により、カードが販売されたタイミングで、カードの発注期限や出荷可能期間を決定することができるため、カードに期限情報を印刷しておく必要がなくなり（期限毎にカードを作る必要がなくなり）、カードのコストが軽減される。また、カードの在庫管理の手間も軽減される。
【０００９】
また、上記構成によれば、店舗端末がカードの販売受付処理を行わないと、カードが利用できないようになっている。そのため、カードが盗難された場合の被害の発生が抑制されるという作用効果が得られる。
【００１２】
また、前記データベースの各識別情報には、カードが利用されたか否かを示す利用区分が関連付けて登録されており、前記情報提供部は、前記ユーザ端末から前記識別情報の入力を受け付けた場合に、前記カードデータベースを参照して、該受け付けた識別情報に関連付けられた利用区分が未使用である場合に前記配送要求を受け付けて前記販売業者に前記商品情報及び前記配送先情報を提供すると共に、前記カードデータベースの対応する利用区分を使用済みに更新し、該識別情報に関連付けられた利用区分が使用済であれば商品の配送要求を受け付けないことが望ましい。
【００１３】
また、本発明の第２態様は、ネットワークを介してユーザ端末からカードに記載された商品の配送要求を受け付け、該受け付けた配送要求に応じて販売業者に対して商品配送を指示すると共に前記カードが有効であるか否かを管理するサーバと、前記カードを販売する各店舗に設置された店舗端末とを備える商品販売システムを利用した商品販売方法であって、前記カードには、カード毎に割り当てられたカードを識別する識別情報と、商品情報と、前記サーバが提供する注文ページを指定するサイト情報と、前記識別情報及び前記サイト情報を示す２次元コードとが記載され、前記サーバは、前記識別情報毎に、該識別情報で特定されるカードに記載された商品を特定する商品識別情報と、該カードの販売受付処理が行われたか否かを示す有効化情報と、該カードに記載された商品の販売業者情報とを関連付けて格納したカードデータベースと、前記カードに記載された商品を特定する商品識別情報毎に、その商品の発注期限及び出荷可能期間と、商品の賞味期限及び保存方法を含む商品説明情報とを関連付けて記憶した商品データベースとを備え、前記店舗でユーザに前記カードを販売する段階において、前記店舗端末が、前記カードに記載された２次元コードを読み取り前記識別情報及び前記サイト情報を取得し、この取得したサイト情報を用いて前記サーバにアクセスし、該サーバに該取得した識別情報を送信するステップと、前記サーバが、前記店舗端末から送信される識別情報を受信すると、前記カードデータベースを参照し、該受信した識別情報に関連付けられた商品識別情報を抽出し、この抽出した商品識別情報及び前記商品データベースを用いて前記抽出した商品識別情報により特定される商品の商品説明情報を読み出し且つ前記抽出した商品識別情報により特定される商品の発注期限及び出荷可能期間を示す情報を生成し、前記販売受付処理が行われたことを示す情報として、前記カードデータベースに該発注期限及び出荷可能期間を格納すると共に、前記店舗端末に前記発注期限、前記出荷可能期間及び前記商品説明情報を送信するステップと、前記店舗端末が、前記識別情報の送信に応じて前記サーバから送信される発注期限、前記出荷可能期間及び前記商品説明情報を受信し、前記発注期限、前記出荷可能期間及び前記商品説明情報が含まれる附票を印刷するステップと、前記サーバが、前記ユーザ端末から前記カードに記載されたサイト情報を用いたアクセス要求を受け付けて、そのユーザ端末に該サイト情報により特定される注文ページを提供すると共に、前記識別情報の入力を受け付けるステップと、前記受け付けた識別情報に関連付けられた有効化情報が前記販売受付処理が行われたことを示す情報である場合に、前記注文ページ上から商品配送先情報の入力を受け付け、前記カードデータベースを参照して該受け付けた識別情報に対応付けられた販売業者及び商品情報を特定し、その販売業者に該識別情報に対応付けられた商品情報及び該配送先情報を提供するステップとを有することを特徴とする。
【００１４】
このように、本発明の第２態様によれば、上述した第１態様と同様の効果を得ることができる商品販売方法が実現される。
【００１５】
また、本発明の第３態様は、ネットワークを介してユーザ端末からカードに記載された商品の配送要求を受け付け、該受け付けた要求に応じ、店舗に対して商品配送を指示するサーバを備える商品販売システムであって、前記カードには、前記サーバが提供している商品ページを指定するサイト情報と店舗を識別する識別情報とが記載され、前記サーバは、前記サイト情報毎に店舗を識別する前記識別情報を対応付けて記憶したデータベースと、前記ユーザ端末に対して商品毎に生成された前記商品ページを提供すると共に、該店舗に商品配送を指示する情報を提供する情報提供部とを備え、前記情報提供部は、前記ユーザ端末が前記サイト情報を入力すると、該ユーザ端末に該サイト情報により特定される商品ページを提供し、該商品ページから前記識別情報と商品配送先情報の入力を受け付け、該識別情報及び前記データベースを用いて店舗を特定し、前記特定した店舗に対して、前記サイト情報により特定される商品情報と前記受け付けた配送先とが含まれる商品配送情報を送信し、該店舗に対して前記商品の配送を指示することを特徴とする。
【００１６】
本発明の第３態様は、上記の構成により、上述した第１態様と略同様の効果（カードの販売受付処理による効果を除く効果）を得ることができる。
【００１７】
また、本発明の第４態様は、ネットワークを介してユーザ端末からカードに記載された商品の配送要求を受け付け、該受け付けた要求に応じ、該商品の生産者に対して商品配送を指示するサーバを備える商品販売システムであって、前記カードには、前記サーバが提供している商品ページを指定するサイト情報と店舗を識別する識別情報とが記載され、前記サーバは、前記サイト情報毎に店舗情報及び生産者情報を対応付けて記憶したデータベースと、前記ユーザ端末に対して商品毎に生成された前記商品ページを提供すると共に、該店舗に商品配送を指示する情報を提供する情報提供部とを備え、前記情報提供部は、前記ユーザ端末が前記サイト情報を入力すると、該ユーザ端末に該サイト情報により特定される商品ページを提供し、該商品ページから前記識別情報と商品配送先の入力を受け付け、該識別情報及び前記データベースを用いて生産者を特定し、前記特定した生産者に対して、前記サイト情報により特定される商品情報と前記受け付けた商品配送先が含まれる商品配送情報を送信し、該生産者に対して前記商品の配送を指示することを特徴とする。
【００１８】
本発明の第４態様は、上記構成により、上述した第３態様と同様の効果を得ることができる。また、本発明の第４態様によれば、店舗側で製品を在庫しておく必要がないため、店舗側の在庫管理の負担を軽減することができる。
【００１９】
また、前記カードには、商品の配送受付可能な期間を示す情報が記載され、前記データベースの前記サイト情報毎に対応付けられた前記識別情報には、さらに、カードが利用されたか否かを示す情報とが関連付けて登録されており、前記情報提供部は、前記識別情報を受け付けた場合に、前記データベースを参照して、該識別情報が記載されたカードが利用されていないと判定された場合にだけ、前記商品配送情報を送信し且つ当該識別情報にカードが利用済みであることを関連付けることが望ましい。このように構成することにより、一度使用したカードが２回利用されることが防止される。また、カードの使用期限を設けることで、季節商品等の在庫管理の負担が軽減される。
【００２０】
また、本発明の第５態様は、ネットワークを介してユーザ端末からカードに記載された商品の配送要求を受け付け、該受け付けた要求に応じ、店舗に対して商品配送を指示する情報を提供するサーバを備える商品販売システムを利用した商品販売方法であって、前記サーバは、前記各商品のサイト情報毎に店舗を識別する識別情報を対応付けて格納したデータベースを備えており、前記カードには、前記サーバが提供している商品ページを指定するサイト情報と前記識別情報とが記載されており、前記店舗において、ユーザに対して前記カードを販売するステップと、前記ユーザ端末が、前記販売されたカード情報に記載されたサイト情報を入力して、前記サーバにアクセスするステップと、前記サーバが、前記サイト情報の入力を受け付け、前記ユーザ端末に対して、該サイト情報により特定される商品ページを提供すると共に、該カードに記載された前記識別情報と、商品配送先情報との入力を促す情報を提供するステップと、前記ユーザ端末が、前記サーバからの情報に基づいて、前記識別情報及び商品配送先を入力するステップと、前記サーバが、前記入力された前記識別情報及び商品配送先情報を受け付けると、該識別情報及び前記データベースを用いて店舗を特定し、該特定した店舗に対して、前記サイト情報により特定される商品情報と前記受け付けた商品配送先が含まれる商品配送情報を送信するステップと、前記店舗が、前記商品配送情報を受け付け、前記商品配送情報に含まれる商品配送先に対して、該商品配送情報に含まれる商品を配送するステップとを有することを特徴とする。
【００２１】
このように、本発明の第５態様によれば、上述した第３態様と同様の効果を得ることができる商品販売方法が実現される。
【００２２】
また、本発明の第６態様は、ネットワークを介してユーザ端末からカードに記載された商品の配送要求を受け付け、該受け付けた要求に応じ、商品の生産者に対して商品配送を指示する情報を提供するサーバを備える商品販売システムを利用した商品販売方法であって、前記サーバは、前記各商品のサイト情報毎に店舗情報を対応付けて格納したデータベースを備えており、前記カードには、前記サーバが提供している商品ページを指定するサイト情報と前記識別情報とが記載されており、前記店舗において、ユーザに対して前記カードを販売するステップと、前記ユーザ端末が、前記販売されたカード情報に記載されたサイト情報を入力して、前記サーバにアクセスするステップと、前記サーバが、前記サイト情報の入力を受け付け、前記ユーザ端末に対して、該サイト情報により特定される商品ページを提供すると共に、該カードに記載された前記識別情報と、商品配送先情報との入力を促す情報を提供するステップと、前記ユーザ端末が、前記サーバからの情報に基づいて、前記識別情報及び商品配送先を入力するステップと、前記サーバが、前記入力された前記識別情報及び商品配送先を受け付け、該識別情報及び前記データベースを用いて生産者を特定し、該特定した生産者に対して、前記サイト情報により特定される商品情報と前記受け付けた商品配送先が含まれる商品配送情報を送信するステップと、前記生産者が、前記商品配送情報を受け付け、前記商品配送情報に含まれる商品配送先に対して、該商品配送情報に含まれる商品を配送するステップとを有することを特徴とする。
【００２３】
このように、本発明の第６態様によれば、上述した第４態様と同様の効果を得ることができる商品販売方法が実現される。
【発明の効果】
【００２４】
本発明によれば、お土産店等の店舗で商品を購入した商品購入者の商品持ち運びの労力を無くすと共に、当該購入者及び店舗業者の商品配送の手間を軽減させることができる商品販売システム及び商品販売方法を提供することができる。
【図面の簡単な説明】
【００２５】
【図１】本発明の第１実施形態の商品販売システムの機能ブロック図である。
【図２】本発明の第１実施形態のお土産カードの一例を示した模式図である。
【図３】本発明の第１実施形態の実施形態の店舗データベースのデータ構造を模擬的に示した図である。
【図４】本発明の第１実施形態における、お金、商品及び各種情報の流れを説明するための模式図である。
【図５】本発明の第１実施形態の商品販売システムのユーザ側の動作を説明するためのフローチャートである。
【図６】本発明の第１実施形態のサーバが行う処理を示したフローチャートである。
【図７】本発明の第１実施形態の第１変形例のカード、お金、商品及び各種情報の流れを説明するための模式図である。
【図８】本発明の第１実施形態の第２変形例のカード、お金、商品及び各種情報の流れを説明するための模式図である。
【図９】本発明の第１実施形態の第３変形例のカード、お金、商品及び各種情報の流れを説明するための模式図である。
【図１０】本発明の第２実施形態の商品販売システムの機能ブロック図である。
【図１１】本発明の第２実施形態の実施形態のカード情報データベースのデータ構造を模擬的に示した図である。
【図１２】本発明の第２実施形態のお土産カードの一例を示した模式図である。
【図１３】本発明の第２実施形態の附票の一例を示した模式図である。
【図１４】本発明の第２実施形態のカード台紙の一例を示した模式図である。
【図１５】本発明の第２実施形態のお土産カードの有効化するための販売受付処理を説明するためのフローチャートである。
【図１６】本発明の第２実施形態の店舗端末が表示する表示画面例の一例を示した模式図である。
【発明を実施するための形態】
【００２６】
以下、本発明の実施形態について図面を用いて説明する。先ず、本発明の第１実施形態の商品販売システムの構成について図１〜図３に基づいて説明する。なお、図１は、第１実施形態の商品販売システムの構成を示したブロック図である。また、図２は、第１実施形態のお土産カードの一例を示した模式図である。また、図３は、第１実施形態の店舗データベースのデータ構造を模擬的に示した図である。
【００２７】
図１に示すように、第１実施形態の商品販売システムは、インターネット等の通信ネットサークＮＷに接続されたサーバ群１と、通信ネットワークＮＷに接続されたユーザ端末３とを備えている。尚、サーバ群１は、１又は複数のサーバ装置により構成されている。また、本実施形態の商品販売システムでは、お土産カード４が用いられるようになっている。このお土産カード４は、商品毎に設けられており、お土産等の商品を販売する店舗に予め配布されている。また、お土産カード４は、各店舗においてユーザ（店舗利用者）に対し、商品の代わりに譲渡（例えば販売）されるようになっている。
【００２８】
また、サーバ群１は、通信ネットワークＮＷを介して、ユーザ端末３との間でデータ通信が行えるようになっており、ユーザ端末３からお土産カード４に記載された商品の配送要求を受け付け、該受け付けた要求に応じ、店舗（お土産カード４を販売した店舗）に対して商品配送を指示する情報を提供する。
【００２９】
また、ユーザ端末３は、Ｗｅｂブラウザ機能を有する制御部と、液晶ディスプレイ等で構成される表示部と、キーボードや操作ボタン等で構成される入力部とを備えた情報処理装置（パソコン、ＰＤＡ、スマートフォン、携帯電話等の情報処理装置）により構成されている。
【００３０】
そして、ユーザ端末３は、通信ネットワークＮＷを介してサーバ群１にアクセスし、サーバ群１から送信される商品ページ（Ｗｅｂページ）を受信し、前記表示部に商品ページを表示できるようになっている。また、ユーザ端末３は、入力部を介して操作を受け付け、商品ページ上で商品の配送先（住所、氏名）を入力し、サーバ群１に配送先を送信できるようになっている。尚、本実施形態では、ユーザ端末３は、カメラ機能付きの情報処理装置（カメラ機能付き携帯電話、カメラ機能付きスマートフォン）により構成されているものとする。
【００３１】
また、図２に示すように、お土産カード４は、商品情報（商品名及び商品内容）が印刷（記載）された領域４０１と、商品の販売期間（配送受付期間）が印刷された領域４０２と、商品の画像（写真等の画像（図中省略））が印刷された領域４０３と、サーバ群１が提供している商品ページ（領域４０１に記載された商品の商品ページ）を指定するサイト情報が印刷された領域４０４、４０５と、パスワード（識別情報）が印刷された領域４０６とを有している。尚、本実施形態では、サイト情報に、商品ページを指定するＵＲＬと、ＱＲコード（登録商標）とが用いられている。このようにお土産カード４を構成することにより、例えば、旅先でお土産カード４を購入した人から、お土産カード４を配布された人は、お土産カードも見ただけで、お土産の中身を把握することができる（お土産をプレゼントする人と、コミュニケーションが取れる）。一方、従来技術の宅急便による方法では、お土産を送られる人は、お土産が自宅等に配達されるまで中身が判らなかった。
【００３２】
また、前記サイト情報は、商品毎に設けられている商品ページ（Ｗｅｂページ）を特定する情報であり、例えば、図示する例では、サイト情報４０４、４０５により、サーバ群１が提供する『浜田市旭町産「あたご梨（５ｋｇ）」』の配送要求を受け付ける商品ページが特定されるようになっている。すなわち、前記サイト情報により、商品ページ及び商品が特定される。また、前記パスワードは、お土産カード４に記載された商品を販売した（すなわち、お土産カード４を販売した）店舗を特定する識別情報であり、図示する例では、ユーザに対して『浜田市旭町産「あたご梨（５ｋｇ）」』を記載したお土産カード４を販売した店舗が特定される。
【００３３】
次に、サーバ群１の具体的な構成を説明する。サーバ群１は、制御部１０と、情報提供部１１と、通信処理部１２と、記憶部１３とを有している。また、記憶部１３には、店舗データベース２０及びＷｅｂページデータ３０が格納されている。
【００３４】
上記の店舗データベース２０は、図３に示すように、商品ページ（Ｗｅｂページ）を特定するサイト情報（ＱＲコード、ＵＲＬ）を登録するフィールド２０１と、パスワード（識別情報）を登録するフィールド２０２と、商品情報を登録するフィールド２０３と、店舗名を登録するフィールド２０４と、店舗の連絡先（住所、電話番号、メールアドレス）を登録するフィールド２０５と、商品の販売期間（配送受付期間）を登録するフィールド２０６と、お土産カード４が利用されたか否かを示す情報を登録するフィールド２０７とを有するレコードにより構成されている（複数のレコードにより構成されている）。尚、利用されたことがないパスワードが登録されているレコードのフィールド２０７には、「未使用」が登録され、一度利用されたパスワードが登録されているレコードのフィールド２０７には、「使用済」が登録される。
【００３５】
店舗データベース２０を上記のように構成することで、サーバ群１は、ユーザ端末３から「サイト情報（ＱＲコード、ＵＲＬ）」及び「パスワード（識別情報）」の入力を受け付けた場合、店舗データベース２０を参照することで、商品情報と店舗情報（店舗名、店舗の連絡先）を特定することができる。また、一度使用したパスワード（お土産カード４）については、そのパスワードが登録されたレコードのフィールド２０７に「使用済」を登録しておくことで、パスワードが２回使われることを防止することができる。また、フィールド２０６には、お土産カード４の領域４０２に記載される期間が登録されており、期限切れの商品が発送されることを防止している。また、期限を設けることで、季節商品等の在庫管理の負担が軽減される。
【００３６】
また、Ｗｅｂページデータ３０は、ユーザ端末３に送信する各商品ページの生成に必要な画像、アイコン等の各種データが登録されたデータベースである。
【００３７】
また、制御部１０は、サーバ群１全体の動作を制御すると共に、サーバ群１の各種設定を受け付ける。
【００３８】
また、情報提供部１１は、記憶部１３が記憶している店舗データベース２０及びＷｅｂページデータ３０を用いて、ユーザ端末３に提供する商品ページを生成する。また、情報提供部１１は、ユーザ端末３に、前記生成した商品ページを送信し、ユーザ端末３の前記表示部に、商品ページを表示させる。
【００３９】
具体的には、情報提供部１１は、ユーザ端末３からの「お土産カード４に記載されたサイト情報（ＱＲコード、ＵＲＬ）を用いたアクセス要求」を受け付けると、そのユーザ端末３に対して、当該サイト情報により特定される商品ページを生成し、当該商品ページを送信する。また、情報提供部１１は、前記商品ページ上において、ユーザ端末３から「お土産カード４に記載されたパスワード（識別情報）」及び「商品の配送先（住所、氏名）」の入力を受け付ける。そして、情報提供部１１は、前記パスワードと店舗データベース２０とを用いて店舗を特定し、通信処理部１２を介して、特定した店舗に対し、前記サイト情報により特定される商品情報と前記受け付けた配送先とが含まれる商品配送情報を送信する。また、サーバ群１は、前記店舗に対して前記商品配送情報を送信すると、該店舗に対する請求書を生成する。
【００４０】
また、通信処理部１２は、ユーザ端末３や店舗の情報処理装置（携帯電話やパソコン）に、ネットワークＮＷを介して、電子メールを送信できるように構成されている。
【００４１】
尚、サーバ群１を構成するサーバ装置のハードウェア構成は特に限定されるものではないが、例えば、前記サーバ装置は、ＣＰＵ、補助記憶装置、主記憶装置、ネットワークインターフェース及び入出力インターフェースを備えるコンピュータ（１台或いは複数台のコンピュータ）により構成される。この場合、前記補助記憶装置には、制御部１０、情報提供部１１及び通信処理部１２の機能を実現するためのプログラムが格納されている。また、前記補助記憶装置の所定領域には、上述した記憶部１３が形成されている。そして、制御部１０、情報提供部１１及び通信処理部１２の機能は、前記ＣＰＵが補助記憶装置に格納された前記プログラムを前記主記憶装置にロードして実行することにより実現される。
【００４２】
次に、第１実施形態の商品販売システムにより行われる処理について、図４〜図６に基づいて説明する。ここで、図４は、第１実施形態における、お金、商品及び各種情報の流れを説明するための模式図である。図５は、第１実施形態の商品販売システムのユーザ側の動作を説明するためのフローチャートである。図６は、第１実施形態のサーバが行う処理を示したフローチャートである。尚、以下の説明では、ユーザＡが旅行をして、旅行先の店舗（お土産店）において、お土産カード４を購入し、その後、ユーザＢに、お土産カード４を渡して（プレゼントして）、ユーザＢがサーバ群１にアクセスした場合を例にするが、これは一例である。
【００４３】
先ず、ユーザＡは、旅先の店舗（例えば、お土産屋）を訪問し、その店舗で気に入った商品（お土産）が記載されたお土産カード４（図２参照）を購入する（図５のＳ１）。この場合、ユーザＡから店舗に商品の代金が支払われ、店舗からお土産カード４が渡される（図４のＡ１、２）。すなわち、ユーザＡが代金決済をすると、ユーザＡには、商品の代わりに、その商品を記載したお土産カード４が渡される。
【００４４】
次に、ユーザＡは、旅先から戻ると、ユーザＢに、お土産カード４を渡す（図４のＡ３、図５のＳ２、Ｓ３）。そして、ユーザＢは、自身が保持しているユーザ端末３を操作し、受け取ったお土産カード４に印刷されたサイト情報（ＱＲコード、ＵＲＬ）を利用して、サーバ群１にアクセスする（図４のＡ４、図５のＳ４）。具体的には、ユーザＢは、ユーザ端末３のカメラ機能により、お土産カード４に印刷されたＱＲコードを撮像することにより、お土産カード４に印刷された商品の配送を受け付ける商品ページのＵＲＬを特定する。また、ユーザ端末３を操作し、特定したＵＲＬの商品ページにアクセスする。
【００４５】
また、ユーザ端末３が上記アクセス要求をすると、サーバ群１の情報提供部１１は、前記アクセス要求を受け付け、その受け付けたアクセス要求（サイト情報）により特定される商品ページを生成し、ユーザ端末３に、当該商品ページを送信する（図６のＳ１０、Ｓ１１）。これにより、ユーザ端末３の表示部には、情報提供部１１が送信した商品ページが表示される。尚、この商品ページには、お土産カード４に印刷された「パスワード（識別情報）」の入力を促すパスワード入力欄が設けられている。
【００４６】
次に、ユーザＢがユーザ端末３を介して、前記パスワード入力欄に、お土産カード４に印刷されたパスワードを入力すると（図５のＳ５）、情報提供部１１は、前記パスワードの入力を受け付ける（図６のＳ１２）。
【００４７】
次に、情報提供部１１は、受け付けたパスワードが適性であるか否かを判定し、適性であればＳ１４に進み、適性でなければＳ２０に進む（図６のＳ１３）。
【００４８】
Ｓ１４での判定は、受け付けたパスワードと、店舗データベース２０（図３参照）とを用いて行われるようになっている。具体的には、情報提供部１１は、受け付けたパスワードが店舗データベース２０に登録されていなければ、不適正と判定してＳ２０に進む。また、情報提供部１１は、受け付けたパスワードが店舗データベース２０に登録されていても、そのパスワードが登録されたレコードのフィールド２０７に「使用済」が登録されていれば、不適正と判定してＳ２０に進む。また、情報提供部１１は、受け付けたパスワードが店舗データベース２０に登録され、且つ当該パスワードが登録されたレコードのフィールド２０７に「未使用」が登録されていても、そのレコードのフィールド２０６の期間が現在日時を過ぎていれば、不適正と判定してＳ２０に進む。また、情報提供部１１は、受け付けたパスワードが店舗データベース２０に登録され、且つ当該パスワードが登録されたレコードのフィールド２０７に「未使用」が登録されていて、さらに、当該レコードのフィールド２０６の期間が現在日時を過ぎていなければ、適正と判定してＳ１４に進む。尚、サーバ群１には、図示しない時計機構が設けられており、情報提供部１１は、前記時計機構により、現在日時を取得できるようになっている。
【００４９】
上記不適正と判定された場合に進むＳ２０では、情報提供部１１は、エラー情報を生成して、ユーザ端末３に送信する。このエラー情報に、エラー内容（入力誤り、使用澄みのパスワード、期限切れ等の内容）や、「商品ページへのアクセスを最初からやり直すこと」を促すメッセージを含めるようにしてもよい。
【００５０】
一方、上記適正と判定された場合に進むＳ１４では、情報提供部１１は、受け付けたアクセス要求情報（サイト情報）及び前記パスワードと、店舗データベース２０（図３参照）とにより、「お土産カード４に印刷された商品」及び「お土産カード４を販売した店舗情報（店舗名、連絡先）」を特定する。
【００５１】
次に、情報提供部１１は、ユーザＢのユーザ端末３に対して、商品配送先の入力欄が設けられた入力ページを送信し（図６のＳ１５）、商品配送先の入力を促す。そして、ユーザＢがユーザ端末３を介して、前記入力ページに、ユーザＢが所望する商品配送先（住所、氏名）を入力すると（図５のＳ６）、情報提供部１１により前記商品配送先の入力が受け付けられる（図６のＳ１６）。
【００５２】
次に、情報提供部１１は、Ｓ１４で特定した商品及び店舗情報、Ｓ１６で受け付けた商品配送先を用いて、前記特定した商品と、前記受け付けた商品配送先とが含まれる商品配送情報を生成し、通信処理部１２を介して、前記特定した店舗情報の店舗に対し、前記商品配送情報を送信する（図４のＡ５、図６のＳ１７）。また、本ステップにおいて、情報提供部１１は、店舗データベース２０の対応するレコード（商品配送情報を送信した処理に対応するパスワード）のフィールド２０７を「使用済」に変更する。これにより、一度使用したパスワードが２回利用されることが防止される。
【００５３】
尚、第１実施形態の説明では、店舗（店舗の情報処理装置）に、電子メールにより、商品配送情報を送信するようにしているが、特にこれに限定されるものではない。例えば、電話回線を利用して、ファクシミリにより、商品配送情報を送信するようにしてもよい。そして、情報提供部１１は、商品配送情報を送信すると、上記店舗に対する請求書を生成して出力し（Ｓ１８）、処理を終了する。尚、この請求書は、例えば、商品販売システムの運営者により、上記店舗に郵送される（図４のＡ７）。
【００５４】
次に、商品配送情報が送られる店舗は、前記商品配送情報を受け付け、前記商品配送情報に含まれる商品配送先に対して、商品配送情報に含まれる商品を配送する（図４のＡ６）。これにより、ユーザＢに対して、お土産カード４の商品が届けられる。また、店舗は、商品販売システムの運営者からの請求書に基づいて、前記運営者に、手数料を入金する（図４のＡ８）。
【００５５】
以上、説明したように、第１実施形態によれば、旅行先のお土産店等において、お土産の代わりにお土産カードを購入し、後で、商品配送を指示して、お土産を受け取ることができるので、旅行中にお土産を持ち運ぶ労力から開放される。
【００５６】
また、第１実施形態によれば、お土産カード４の購入者（ユーザ）は、自身のユーザ端末３を介してサーバ群１が提供する商品ページにアクセスし、お土産の配送先を指定できるため、お土産店で商品配送先（住所＆氏名）を記載する手間から開放される。特に、大勢の知人（友人、家族、会社の同僚）に、生ものや重量が嵩むお土産を渡したい場合、本実施形態の商品販売システムは大変便利である。さらに、本実施形態によれば、お土産店側においても、店先での配送受付作業が無くなるため、店舗業務が軽減される。
【００５７】
また、上記の構成により、お土産カード４を購入したユーザや、当該ユーザからお土産カード４を貰ったユーザは、自身のユーザ端末３から好きな時期に、商品配送の手配ができる。そのため、例えば、旅行の予定があるときなどは、その予定期間を外して、商品配送の手配ができ、タイミング良く正味期限がある商品等を取得することが可能になる。
【００５８】
また、第１実施形態の商品販売システムを利用することで、お土産店等の店舗に、大量の在庫をおいておく必要がなくなるため（例えば、商品管理用の倉庫で在庫を一元管理できるため）、在庫管理の労力が軽減される。
【００５９】
尚、本発明は、上述した第１実施形態に限定されるものではなく、その要旨の範囲内において種々の変更が可能である。
【００６０】
例えば、上述した実施形態の図６では、パスワードの入力と、配送先（住所、氏名）の入力を、別の処理ステップで行っているが、あくまでも一例に過ぎない。情報提供部１１が、パスワードと配送先とを同じタイミングで受け付けるように構成されていてもよい。また、図６のＳ１４の判定処理は、あくまでも一例に過ぎない。パスワードが使用済みであるか否かの判定と、カードに記載された期限に対する判定とを別の処理ステップで行ってもよい。また、使用されたパスワードが登録されたレコードを削除していくようにしてもよい。
【００６１】
また、例えば、上述した第１実施形態では、お土産店等の店舗において、お土産カード４を販売している例を示したが、特にこれに限定するものではない。例えば、自動販売機で、お土産カード４が販売される場合にも、本発明は適用される。また、店舗は、商品を販売する店舗ではなく、サービスを提供する飲食店、レンタルショップ、理髪店等であってもよい。
【００６２】
また、上述した第１実施形態では、サーバ群１が商品毎に商品ページを提供するように構成されている例を示したが、あくまでも一例に過ぎない。例えば、サーバ群１が、店舗毎且つ商品毎に商品ページを提供出来るように構成してもよい。この場合、お土産カード４に記載するサイト情報は、店舗毎且つ商品毎に商品ページを特定する情報になり、パスワード（識別情報）が、お店で販売された商品（シリアル番号など）を識別する情報（或いは、お土産カード４の有効性を認証するための情報）になる。この場合においても、上述した実施形態と同様の効果が得られる。さらに、店舗毎且つ商品毎に商品ページを提供するようにすれば、お土産カード４の偽造される場合のリスクが軽減される（セキュリティが高いシステムを構築することができる）。
【００６３】
また、例えば、図７に示すように、商品を店舗からではなく、商品の生産者から直接配送できるようにしてもよい。ここで、図７は、本実施形態の第１変形例における、お金、商品及び各種情報の流れを説明するための模式図である。尚、図７に示す第１変形例では、上述した実施形態と異なるところだけを説明する。また、以下の第１変形例の説明では、説明の便宜上、上述した実施形態と同様および相当する構成については、同じ符号を用いる。尚、生産者には、例えば、漁業組合、農協、漁師、農業法人、農家等が含まれる。
【００６４】
具体的には、本変形例においても、ユーザＡが店舗でお土産カード４を購入し、その後、ユーザＢにお土産カード４を渡し、ユーザＢが商品ページにアクセスして、各種情報を入力するところは、上述した実施形態と同様である（図７のＢ１、Ｂ２、Ｂ３、Ｂ４）。
【００６５】
一方、第１変形例では、商品配送情報の送り先が、店舗ではなく、商品の生産者になっており（図７のＢ６）、当該生産者からユーザＢに商品が配達されるようになっている（図７のＢ７）。尚、変形例においても、ユーザＡが自分で、購入したお土産カード４をに記載された情報に基づいて、サーバ群１にアクセスしてもよい。
【００６６】
そして、第１変形例では、生産者から商品を配達できるようにするため、店舗データベース２０のレコードに、「生産者情報（生産者名、生産者の連絡先（住所、電話番号、メールアドレス））」を登録するフィールド（図示せず）が追加されている。
【００６７】
具体的に第１実施形態と異なる点を説明すると、本変形例では、サーバ群１の情報提供部１１は、図６のＳ１４において、受け付けたアクセス要求情報（サイト情報）及び前記パスワードと、店舗データベース２０（図３参照）とにより、「お土産カード４に印刷された商品」、「お土産カード４を販売した店舗情報（店舗名、連絡先）」及び「お土産カード４に記載された商品の生産者（生産者名、連絡先）」を特定する。
【００６８】
また、第１変形例では、情報提供部１１は、図６のＳ１７において、店舗ではなく、上記の特定した生産者に対し、通信処理部１２を介して、前記特定した商品と、前記受け付けた商品配送先とが含まれる商品配送情報を送信する（図７のＢ６）。そして、生産者は、上記商品配送情報を受け付けて、前記商品配送情報に含まれる商品配送先に対して、該商品配送情報に含まれる商品を配送する（図７のＢ７）。
【００６９】
さらに、第１変形例では、店舗から商品販売システムの運用者に代金を入金し（図７のＢ５）、運用者と生産者との間で商品代金の決済処理（図７のＢ８、Ｂ９）が行われている。すなわち、変形例の仕組みでは、生産者と店舗との間に、運用業者が入り、運用業者が商社機能を果たしている。
【００７０】
このように、第１変形例においても、上述した第１実施形態と同様の効果が達成されるようになる。また、本変形例では、店舗側に商品を在庫しておく必要がない。
【００７１】
また、上述した第１実施形態に代えて、図８に示すように、ユーザＡが自分で、購入したお土産カード４に記載された情報に基づいて、サーバ群１にアクセスしてもよい。尚、図８は、第１実施形態の第２変形例における、お金、商品及び各種情報の流れを説明するための模式図である。このように、ユーザＡが自分用にお土産カード４を購入する場合においても、ユーザＡの商品持ち運びの労力を無くすと共に、ユーザＡ及び店舗業者の商品配送の手間を軽減させることができる。
【００７２】
また、上述した第１変形例に代えて、図９に示すように、ユーザＡが自分で、購入したお土産カード４に記載された情報に基づいて、サーバ群１にアクセスしてもよい。尚、図９は、第１実施形態の第３変形例における、お金、商品及び各種情報の流れを説明するための模式図である。このように、ユーザＡが自分用にお土産カード４を購入する場合においても、上記第１変形例と同様の効果が得られる。
【００７３】
また、上述した第１実施形態では、店舗や飲食店でお土産カード４を販売する例を示したが、例えば、料理教室などに本発明を適用するようにしてもよい。この場合、料理教室において、シェフや料理講師が教える料理に用いる食材や、そのシェフや講師の出身地の食材等を販売するお土産カード４を作成しておき、料理教室において生徒に、お土産カード４を販売する。そして、図７の第１変形例に示す方法を活用すれば、食材の生産者から直接、お土産カード４を購入した生徒に対して、商品が届けられるようになる。
【００７４】
また、料理教室で利用した道具（包丁、フライパン、鍋、家電品）等を販売するためのお土産カード４を作成しておき、料理教室において生徒に、お土産カード４を販売するようにしてもよい。この場合、図７の第１変形例に示す方式において、生産者を「販売業者（或いは、包丁等のメーカ）」に代えて運用すればよい（土産カード４を購入した生徒に対して、販売業者から直接商品が届けられるようになる）。このように、本発明は、料理教室等で行われる提案型の販売にも有効である。
【００７５】
また、第１実施形態のお土産カード４に、懸賞番号を記載しておき、商品販売システムの運用者が抽選を行い、当選者に懸賞品を提供するようにしても良い。
【００７６】
次に、本発明の第２実施形態について説明する。第２実施形態は、上述した第１実施形態の商品販売システムの一部を変更し、お土産カードを販売する店舗において、お土産カードの有効化処理（販売受付処理）を行うように構成したものである。すなわち、第２実施形態は、上述した第１実施形態（及び変形例）に、お土産カード５の有効化処理を行う構成を加えたものである。そのため、以下では、第１実施形態と異なる部分を詳細に説明し、同様の構成の説明は省略する。また、第１実施形態と同様の構成については同じ符号を付して、その説明を省略する。
【００７７】
先ず、第２実施形態の商品販売システムの構成を図１０、図１１に基づいて説明する。尚、図１０は、本発明の第２実施形態の商品販売システムの機能ブロック図である。また、図１１は、本発明の第２実施形態の実施形態のカード情報データベースのデータ構造を模擬的に示した図である。
【００７８】
図１０に示すように、第２実施形態の商品販売システムは、第１実施形態と同様、通信ネットサークＮＷに接続されたサーバ群１と、通信ネットワークＮＷに接続されたユーザ端末３とを備えている。また、第２実施形態の商品販売システムは、店舗に設置された店舗端末６及びプリンタ７を備えている。この店舗端末６及びプリンタ７は、お土産カード５を販売する各店舗に設置されるようになっている。また、店舗端末６は、通信ネットワークＮＷを介して、サーバ群１に接続できるように構成されていると共に、プリンタ７と無線（或いは有線）でデータの授受が行えるようになっている。尚、本実施形態では、店舗端末６に、専用アプリケーションがインストールされたスマートフォン（カメラ機能付きスマートフォン）が用いられる場合を例にする。
【００７９】
また、第２実施形態においても、第１実施形態と同様、お土産カード５は、お土産等の商品を販売する店舗や飲食店に予め配布されている。この、お土産カード５には、後述するように、ＱＲコード（２次元コード）５０２が印刷されている（図１２参照）。このＱＲコード５０２には、少なくとも、サーバ群１へのアクセス情報（サーバ群１のホームページアドレス等）と、お土産カード５に印刷された識別情報（ＩＤ及びＰＩＮ）とが含まれている。
【００８０】
そして、第２実施形態では、お土産カード５は、店舗端末６による販売受付処理を済ませてお土産カード５を有効化させた後でないと利用できないようになっており、サーバ群１が各お土産カード５について販売受付処理が行われたか否かを管理するように構成されている。尚、この販売受付処理は、ユーザにお土産カード５を販売する際に（ユーザから代金を受け取った際に）、店員が店舗端末６を用いて行うようになっている。このように、第２実施形態では、お土産カード５は、販売受付処理を済ませた後でないと利用できないようになっているため、第１実施形態と同様の作用効果に加え、さらに、お土産カード５が万引きされた場合の被害の発生が抑制されるという作用効果が得られる。以下、第２実施形態の各装置の機能を説明する。
【００８１】
先ず、サーバ群１について説明する。サーバ群１は、制御部１０と、情報提供部１１と、通信処理部１２と、記憶部１３と、データ登録管理部１４とを備えている。制御部１０及び通信処理部１２は、上述した第１実施形態と同様である。また、情報提供部１１は、第１実施形態の機能を一部変更したものである。また、記憶部１３は、店舗データベース２０の代わりに、カード情報データベース４０を格納するように構成されていると共に、製品情報データベース５０が格納されている。尚、Ｗｅｂページデータ４０は、第１実施形態と同じである。
【００８２】
具体的には、情報提供部１１は、ユーザ端末３からのアクセス要求を受け付けると、そのユーザ端末３に対して、共通の注文ページを生成し、当該注文ページを送信するようになっている。また、情報提供部１１は、上記の注文ページ上で入力される識別情報（ＩＤ及びＰＩＮ）やお土産カード５に記載された商品の配送要求（配送先情報）を受け付けると、通信処理部１２に、前記受け付けた配送要求に応じ、対応する業者（お土産カード５に記載された商品の販売業者）に対して商品配送を指示する情報を送信する。
【００８３】
また、データ登録管理部１４は、店舗端末６から送信される識別情報（ＩＤ及びＰＩＮ）を受け付けると、その識別情報が印刷されたお土産カード５の有効化情報（販売日、発注期限、出荷可能期間）を作成し、その店舗端末６に対して、上記作成した有効化情報を送信する。また、また、データ登録管理部１４、有効化情報と共に、お土産カード５に印刷された製品に関する製品情報（商品名、商品番号、賞味期限、保存方法等の情報）を送信する。また、データ登録管理部１４は、記憶部１３に格納されたカード情報データベース４０の対応するレコードに、作成した有効化情報（販売日、発注期限、出荷可能期間）を登録する。尚、店舗端末６から送信される識別情報には、お土産カード５の有効化処理要求であることを示すデータが含まれている。
【００８４】
また、記憶部１３に格納されたカード情報データベース４０は、図１１に示すように、ＩＤを登録するフィールド４０１と、ＰＩＮ（Personal  identification  number）を登録するフィールド４０２と、商品情報を登録するフィールド４０３と、お土産カード５を販売する店舗の情報を登録するフィールド４０４と、販売日を登録するフィールド４０５と、発注期限を登録するフィールド４０６と、出荷可能期間を登録するためのフィールド４０７と、製品販売業者の情報を登録するためのフィールド４０８と、お土産カード５が利用できるか否かを示す利用区分を登録するフィールド４０９とを有するレコードにより構成されている（複数のレコードにより構成されている）。
【００８５】
ここで、フィールド４０１、４０２に登録されるＩＤ及びＰＩＮは、お土産カード５毎に割り当てられた一意の識別情報であり、例えば、複数桁の数字（或いは英数字や記号）により形成されている。また、フィールド４０３に登録される商品情報とは、お土産カード５に印刷された商品名と、その商品名を特定する商品番号のことをいう。尚、前記商品番号は、印刷された商品に割り当てたれた一意の識別情報である。また、フィールド４０４に登録されるカード販売店の情報とは、お土産カード５を販売する店舗の店名、住所、メールアドレス等の情報をいう。
【００８６】
また、フィールド４０５、４０６、４０７には、対応するお土産カード５の販売受付処理が行われたか否かを示す有効化情報が登録される。具体的には、販売受付処理が行われたお土産カード５に記載された識別情報に対応するフィールド４０５、４０６、４０７には、有効化情報として、「販売日、発注期限、出荷可能期間」が登録されるようになっている。また、販売受付処理が行われていないお土産カード５に記載された識別情報に対応するフィールド４０５、４０６、４０７には、それぞれ、「ＮＵＬＬ」が登録されている。そのため、フィールド４０５、４０６、４０７を参照することにより、対応する識別情報のお土産カード５の販売受付処理（有効化処理）が行われたか否かを判定できるようになっている。尚、販売日とは、店舗でお土産カード５が販売された「年月日」のことをいい、発注期限とは、販売されたお土産カード５に印刷された製品の発注ができる期限のことをいう。また、出荷可能期間とは、お土産カード５に印刷された製品の出荷できる期間のことをいう。
【００８７】
また、フィールド４０８の製品販売業者の情報とは、お土産カード５に印刷された商品を販売している業者に関する情報（会社名、メールアドレス、電話番号、ファックス番号、住所（図示せず））をいう。尚、お土産カード５を販売する店舗と、商品を販売している業者とが共通している場合には、フィールド４０４と、フィールド４０８とには同じ情報が格納される。また、フィールド４０９には、デフォルトで「未使用」が登録されており、お土産カード５が利用された場合に、「未使用」から「使用済」に書き換えられるようになっている。また、店舗端末６から「取消」が送信されたお土産カード５については、フィールド４０９に「取消」が登録される。尚、フィールド４０９に「使用済」及び「取消」が登録されたレコードのお土産カード５は使用できないようになっている。このように、
カード情報データベース４０の各レコードでは、識別情報（ＩＤ及びＰＩＮ）に、商品情報と、店舗の情報と、有効化情報と、製品販売事業者と、利用区分とが関連付けられている。
【００８８】
また、製品情報データベース５０は、製品を識別する商品番号毎に、発注期限決定情報（発注日から６０日等の情報）と、出荷可能期間（製品毎に予め設定された期限等）と、お土産カード６に印刷された製品に関する製品情報（商品名、商品番号、賞味期限、保存方法等の情報）とを対応付けて記憶したものである。この製品情報データベース５０は、データ登録管理部１４が、お土産カード５の有効化情報を生成する際に用いられる。
【００８９】
尚、第２実施形態においても、サーバ群１のハードウェア構成は特に限定されるものではないが、例えば、サーバ群１は、ＣＰＵ、補助記憶装置、主記憶装置、ネットワークインターフェース及び入出力インターフェースを備えるコンピュータ（１台或いは複数台のコンピュータ）により構成される。この場合、前記補助記憶装置には、制御部１０、情報提供部１１、通信処理部１２及びデータ登録管理部１４の機能を実現するためのプログラムが格納されている。また、前記補助記憶装置の所定領域には、上述した記憶部１３が形成されている。そして、制御部１０、情報提供部１１、通信処理部１２及びデータ登録管理部１４の機能は、前記ＣＰＵが補助記憶装置に格納された前記プログラムを前記主記憶装置にロードして実行することにより実現される。
【００９０】
次に、店舗端末６について説明する。店舗端末６は、カメラ機能を備えたスマートフォンに専用アプリケーションをインストールすることにより構成されたものであり、お土産カード５の販売受付処理と、プリンタ７に附票８を印刷させる処理とが実行できるようになっている。具体的には、店舗端末６は、販売受付処理部６１と、印刷処理部６２とを有している。
【００９１】
販売受付処理部６１は、スマートフォンに搭載されたカメラによりお土産カード５の「ＱＲコード」を撮像して読み取り、読み取った「ＱＲコード」から「サーバ群１へのアクセス情報」と、お土産カード５に印刷された識別情報（ＩＤ及びＰＩＮ）とを抽出する（取得する）。また、販売受付処理部６１は、前記取得したアクセス情報を用いてサーバ群１にアクセスして、サーバ群１に識別情報を送信する（この場合、お土産カード５の有効化処理要求であることを示すデータも共に送信する）。また、販売受付処理部６１は、サーバ群１から、当該サーバ群１が識別情報の受信に応じて作成したお土産カード５の有効化情報（販売日、発注期限、出荷可能期間）と、お土産カード５に印刷された製品の製品情報（商品名、商品番号、賞味期限、保存方法等の情報）とを受信する。
【００９２】
また、販売受付処理部６１は、受信した有効化情報（販売日、発注期限、出荷可能期間）及び製品情報が含まれる附票情報を含む購入内容情報画面（図１６（ｃ）参照）を生成して、店舗端末６の表示部６０に表示する。
【００９３】
印刷処理部６２は、販売受付処理部６１が生成した附票情報を、プリンタ７が印刷できる印刷データに変換し、プリンタ７に変換した印刷データを送信し、プリンタ７に附票８を印刷させる。これにより、プリンタ７から附票８（図１３参照）が印刷される。
【００９４】
尚、店舗端末６のメモリ（図示せず）には、販売受付処理部６１及び印刷処理部６２の機能を実現するためのプログラム（専用アプリケーション）が格納されている（インストールされている）。そして、販売受付処理部６１及び印刷処理部６２の機能は、店舗端末６に搭載されたＣＰＵが前記プログラムを実行することにより実現される。
【００９５】
また、プリンタ７は、例えば、印刷用紙が収容された小型プリンタ（周知の小型サーマルプリンタ）により構成されており、店舗端末６から送信される印刷データを受信し、印刷用紙に、受信した印刷データを印字して、印字された印刷用紙（附票８）を排出するようになっている。
【００９６】
次に、第２実施形態のお土産カード５について図１２を用いて説明する。尚、図１２は、第２実施形態のお土産カードの一例を示した模式図であり、（ａ）がお土産カードの表面を示し、（ｂ）がお土産カードの裏面を示している。
【００９７】
図１２（ａ）に示すように、お土産カード５の表面には、商品の写真（又はイラスト）等の画像情報５０１と、ＱＲコード５０２と、商品名５０３と、お土産カード５毎に割り当てられた識別情報（ＩＤ、ＰＩＮ）５０４と、サーバ群１が提供する注文ページを指定するサイト情報５０５とが印刷されている。また、図１２（ｂ）に示すように、お土産カード５の裏面には、商品名５０６と、商品情報（商品の内容、商品番号、正味期限、原材料）５０７と、販売元情報（会社名、問い合わせ先）５０８とが印刷されている。
【００９８】
このように、お土産カード５を構成することにより、第１実施形態と同様、ユーザは、お土産カード５も見ただけで、お土産の中身を把握することができる（例えば、お土産をプレゼントする人と、コミュニケーションが取れる）。尚、第２実施形態のお土産カード５には、発注期限などの日付に関連する情報は印刷されていない。このように構成しているのは、日付に関する情報（販売日、発注期限、出荷可能期間等の情報）は、お土産カード５の販売受付処理が完了したときに、ユーザに渡される附票８に記載されているためである。そして、第２実施形態では、お土産カード５に期限情報を印刷しておく必要がないため（期限毎にお土産カード５を作る必要がないため）、お土産カード５のコストが軽減される。また、お土産カード５の在庫管理の手間も軽減される。
【００９９】
次に、附票８について図１３及び図１４を用いて説明する。尚、図１３は、第２実施形態の附票の一例を示した模式図である。また、図１４は、第２実施形態のお土産カードのカード台紙の一例を示した模式図である。
【０１００】
図１３に示すように、附票８には、商品名、有効化情報（販売日、発注期限、出荷可能期間）、商品情報（商品説明、セット内容、賞味期限、保存方法、原材料等）が印刷されている。この附票８は、お土産カード５と共に、ユーザに渡されるようになっており、ユーザは、この附票８を参照することにより、購入したお土産カード５の内容を確認することができる。
【０１０１】
また、図１４に示すように、お土産カード５は、カード台紙９にセット（収容）されて販売されるようになっている。このカード台紙９には、附票８を貼付する（ノリやテープで貼付する）貼付欄９ａが設けられている。そして、お土産カード５を販売する店舗の店員が、カード台紙９の貼付欄９ａにプリンタ７から印刷された附票９を貼付した上で、お土産カード５を購入したユーザに渡すようになっている。
【０１０２】
次に、第２実施形態の商品販売システムにより行われるお土産カード５の販売受付処理（有効化処理）について、図１５、図１６に基づいて説明する。尚、図１５は、第２実施形態の店舗端末が行う販売受付処理を示したフローチャートである。また、図１６は、第２実施形態の店舗端末の表示画面例を示した模式図であり、（ａ）がＱＲコードを読み込んでいる際の表示画面を示し、（ｂ）が販売受付処理終了を知らせる表示画面を示し、（ｃ）が販売受付処理をしたお土産カードの内容を示した表示画面を示している。また、以下では、店舗において、ユーザＡがお土産カード５を購入する際に行われる販売受付処理を例にして説明する。
【０１０３】
先ず、ユーザＡは、店舗において欲しい製品のお土産カード５を選び、店員に対して代金を支払う。代金を支払う段階では、お土産カード５は、販売受付処理が行われていないので利用できないようになっている（カード台紙９には、お土産カード５だけがセットされており、附票８が貼付されていない状態になっている）。
【０１０４】
店舗の店員は、店舗端末６を操作して、店舗端末６の表示部６０に初期画面（図示せず）を表示させる（Ｓ２０）。具体的には、販売受付処理部６１が、店員からの操作を受け付けて、初期画面を生成して、表示部６０に表示する。この初期画面には、例えば、お土産カード５のＱＲコードの撮像を促すテキスト情報やカメラの操作ボタン等が表示されている。
【０１０５】
次に、店員は、店舗端末６を操作して、店舗端末６に搭載されたカメラで、お土産カード５に印刷されたＱＲコードを撮像する。これにより、店舗端末６の販売受付処理６１は、お土産カード５に印刷されたＱＲコードを読み取る。また、販売受付処理部６１は、読み取ったＱＲコードから「サーバ群１へのアクセス情報」と、お土産カード５に印刷された「識別情報（ＩＤ及びＰＩＮ）」を取得する（Ｓ２１）。尚、Ｓ２１の処理においては、店舗端末６の表示部６０には、図１６（ａ）に示す表示画面が表示されている。
【０１０６】
次に、販売受付処理部６１は、Ｓ２１で取得した「サーバ群１へのアクセス情報」を用いて、サーバ群１にアクセスして、サーバ群１に、Ｓ２１で読み出した識別情報（ＩＤ及びＰＩＮ）を送信し（Ｓ２２）、Ｓ２３の処理に進む。
【０１０７】
尚、Ｓ２２において店舗端末６から送信された識別情報（ＩＤ及びＰＩＮ）は、サーバ群１のデータ登録管理部１４が受信する。サーバ群１のデータ登録管理部１４は、前記識別情報（ＩＤ及びＰＩＮ）を受信すると、カード情報データベース４０を参照して、受信した識別情報（ＩＤ及びＰＩＮ）のレコードを特定すると共に、特定したレコードに登録された製品の商品番号を抽出する。また、データ登録管理部１４は、製品情報データベース５０にアクセスして、抽出した商品番号に対応付けられた「発注期限決定情報（発注日から６０日等の情報）」、「出荷可能期間」及び「製品情報」を読み出す。
【０１０８】
そして、データ登録管理部１４は、サーバ群１の時計機能より得られる現在日時を「販売日」とし、さらに、その「販売日」と「発注期限決定情報」とにより「発注期限」を算出する（例えば、販売日に、発注期限決定情報に定義された期間を加算して得られた日時を発注期限とする）。また、データ登録管理部１４は、上記「販売日」と、算出した「発注期限」と、読み出した「出荷可能期間」を、特定したレコードのフィールド４０５、４０６、４０７に登録（格納）する。また、データ登録管理部１４は、前記格納した有効化情報（販売日、発注期限、出荷可能期間）と、読み出した製品情報とを、前記識別情報（ＩＤ及びＰＩＮ）を送信してきた店舗端末６に送信する。
【０１０９】
Ｓ２３では、店舗端末６の販売受付処理部６１が、サーバ群１から送信されてくる有効化情報（販売日、発注期限、出荷可能期間）と、製品情報とを受信し、Ｓ２４に進む。
【０１１０】
Ｓ２４では、販売受付処理部６１は、お土産カード５が有効化処理されたことを通知する通知画面を生成し、表示部６０に表示する（図１６（ｂ）参照）。そして、表示部６０に表示した通知画面上で「ＯＫボタン６０２」が選択されると、Ｓ２５に進む。
【０１１１】
Ｓ２５では、販売受付処理部６１は、Ｓ２３で受信した有効化情報（販売日、発注期限、出荷可能期間）と製品情報とを用いて、お土産カード５に印刷された商品の「販売日、発注期限、出荷可能期間、商品情報が含まれる附票情報」を含む購入内容情報画面を生成して、表示部６０に表示する。この購入内容情報画面には、図１６（ｃ）に示すように、附票情報に加えて、別のお土産カード５のＱＲ読み取りを行うＱＲ取得ボタン６０３と、附票印刷を受け付ける印刷ボタン６０４と、販売受付処理のキャンセルを受け付ける取消ボタン６０５とが含まれている。そして、販売受付処理部６１は、いずれかのボタン６０３、６０４、６０５が選択されるまで待機する（Ｓ２６）。
【０１１２】
そして、Ｓ２６において、ＱＲ取得ボタン６０３が選択されると、販売受付処理部６１は、Ｓ２０の初期画面に戻り、次のお土産カード５の読み取り処理を行う。
【０１１３】
また、Ｓ２６において、印刷ボタン６０４が選択されると、Ｓ２７に進む。Ｓ２７では、印刷処理部６２が、「販売日、発注期限、出荷可能期間、商品情報が含まれる附票情報」を印刷データ（プリンタ７が印刷処理を行える形式の印刷データ）に変換して、プリンタ７に、変換した印刷データを出力する（Ｓ２７）。これにより、プリンタ７から、附票８（図１３）が印刷される。店員は、お土産カード５がセットされたカード台紙９の貼付欄９ａに、印刷された附票８を貼付した上で、ユーザＡに渡す。
【０１１４】
また、Ｓ２６において、販売受付処理をキャンセルする取消ボタン６０５が選択されると、販売受付処理部６１は、Ｓ２１で読み出した「サーバ群１へのアクセス情報」を用いて、サーバ群１にアクセスして、サーバ群１に、Ｓ２１で読み出した識別情報（ＩＤ及びＰＩＮ）と共に、取消情報を送信する（Ｓ２８）。
【０１１５】
尚、Ｓ２８において店舗端末６から送信された「識別情報（ＩＤ及びＰＩＮ）」及び「取消情報」は、サーバ群１のデータ登録管理部１４が受信する。データ登録管理部１４は、前記識別情報（ＩＤ及びＰＩＮ）を受信すると、カード情報データベース４０を参照して、受信した識別情報（ＩＤ及びＰＩＮ）のレコードを特定すると共に、特定したレコードのフィールド４０９に「取消」を格納する。これにより、取消ボタン６０５が選択されたお土産カード５は利用できなくなる。
【０１１６】
そして、第２実施形態では、ユーザＡ（或いは、ユーザＡからお土産カード５を貰ったユーザＢ）は、販売受付処理を行ったお土産カード５（すなわち、有効化されたお土産カード５）を用いて、サーバ郡１にアクセスして、製品の送り先（自宅住所）を入力することで、お土産カード５に印刷された製品を送り先に届けさせることができる。
【０１１７】
次に、お土産カード５を購入したユーザＡ（或いはユーザＢ）がサーバ郡１にアクセスして商品配送先を指定する手順について簡単に説明する。
【０１１８】
先ず、ユーザＡ（或いは、ユーザＡからお土産カード５を貰ったユーザＢ）は、ユーザ端末３にお土産カード５に記載されたアクセス情報を入力して、サーバ郡１にアクセスする。サーバ郡１の情報提供部１１は、ユーザ端末３からのアクセス要求を受け付けると、ユーザ端末３に対して共通の注文ページを送信する。これにより、ユーザ端末３には、共通の注文ページが表示される。そして、ユーザＡは、ユーザ端末３を利用して、注文ページ上で、お土産カード５に記載された「識別情報（ＩＤ及びＰＩＮ）」を入力する。これにより、サーバ郡１の情報提供部１１が、ユーザ端末３からの「識別情報（ＩＤ及びＰＩＮ）」の入力を受け付ける。尚、ユーザ端末３がカメラ機能を備える装置である場合、ユーザ端末３のカメラ機能でＱＲコードを撮像すると、サーバ郡１の情報提供部１１に、「識別情報（ＩＤ及びＰＩＮ）」が送信されるようになっており、ユーザＡが識別情報を入力する必要はない。尚、ユーザ端末３からのアクセス要求には、店舗端末６から送信される情報のように「有効化処理要求であることを示すデータ」が含まれていないため、サーバ１は、商品の配送要求であると判定する。
【０１１９】
そして、サーバ郡１の情報提供部１１は、ユーザ端末３からの「識別情報（ＩＤ及びＰＩＮ）」の入力を受け付けると、受け付けた識別情報及びカードデータベース４０を用いて、受け付けた識別情報により特定されるお土産カード５の販売受付処理が行われているか否かを判定する。そして、情報提供部１１は、販売受付処理が行われているお土産カード５の識別情報であれば配送要求を受け付け、販売受付処理が行われていないお土産カード５の識別情報であれば配送要求を拒否する。
【０１２０】
具体的には、先ず、情報提供部１１は、カード情報データベース４０にアクセスし、受け付けた「識別情報（ＩＤ及びＰＩＮ）」のレコードを抽出する。次に、情報提供部１１は、抽出したレコードのフィールド４０５、４０６、４０７、４０９を参照する。そして、情報提供部１１は、抽出したレコードのフィールド４０５、４０６、４０７に「NUＬＬ」が格納されている場合、対応するお土産カード５の販売受付処理（有効化処理）がされていないと判定し、ユーザ端末３に対して、カード５が利用できない旨を示すエラー情報を送信して処理を終了する。尚、情報提供部１１は、抽出したレコードのフィールド４０９に「使用済」及び「取消」が登録されている場合についても、カードが利用できない旨を示すエラー情報を送信して処理を終了する。
【０１２１】
一方、情報提供部１１は、抽出したレコードのフィールド４０５、４０６、４０７に「NUＬＬ」が格納されておらず、且つフィールド４０９に「未使用」が格納されていれば、ユーザ端末３に対して、商品配送先の入力欄が設けられた入力ページを送信して商品配送先の入力を促す。そして、ユーザがユーザ端末３を介して、前記入力ページに、所望する商品配送先（住所、氏名）を入力すると、情報提供部１１により前記商品配送先の入力が受け付けられる。
【０１２２】
次に、情報提供部１１は、抽出したレコードのフィールド４０３に登録された商品と、前記受け付けた商品配送先とが含まれる商品配送情報を生成する。また、情報提供部１１は、抽出したレコードのフィールド４０８に格納された製品販売業者の連絡先（メールアドレス等）を特定する。そして、情報提供部１１は、通信処理部１２を介して、特定した連絡先（メールアドレス宛）に、前記商品配送情報を送信する。また、情報提供部１１はカード情報データベース４０の対応するレコードのフィールド４０９を「使用済」に更新する。これにより、一度使用したお土産カード５が２回利用されることが防止される。
【０１２３】
このように、第２実施形態においても、上述した第１実施形態と同様の作用効果が得られる。また、第２実施形態では、お土産カード５は、店舗で販売受付処理を行ってお土産カード５を有効化しないと利用できないようになっているため、お土産カード５が盗難された場合の被害の発生が抑制される。
【符号の説明】
【０１２４】
１…サーバ群、３…ユーザ端末、４…お土産カード、５…お土産カード、６店舗端末、７…プリンタ、８…附票、９…カード台紙、１０…制御部、１１…情報提供部、１２…通信処理部、１３…記憶部、１４…データ登録管理部、２０…店舗データベース、３０…Ｗｅｂページデータ、４０…カード情報データベース、５０…商品情報データベース
【要約】
【課題】商品を購入した商品購入者の商品持ち運びの労力を無くすと共に、当該購入者及び店舗業者の商品配送の手間を軽減させる商品販売システムを提供する。
【解決手段】ネットワークＮＷを介してユーザ端末３からお土産カード５に記載された商品の配送要求を受け付け、その受け付けた要求に応じ、お土産カード５に記載された商品の販売業者に対して商品配送を指示するサーバ群１と、お土産カード５を販売する各店舗に設置された店舗端末６とを備える商品販売システムを提供する。また、お土産カード５は、店舗端末６により販売受付処理を行わないと利用できないようになっている。
【選択図】図１０【図１】
0005133462.tif 000002
【図２】
0005133462.tif 000003
【図３】
0005133462.tif 000004
【図４】
0005133462.tif 000005
【図５】
0005133462.tif 000006
【図６】
0005133462.tif 000007
【図７】
0005133462.tif 000008
【図８】
0005133462.tif 000009
【図９】
0005133462.tif 000010
【図１０】
0005133462.tif 000011
【図１１】
0005133462.tif 000012
【図１２】
0005133462.tif 000013
【図１３】
0005133462.tif 000014
【図１４】
0005133462.tif 000015
【図１５】
0005133462.tif 000016
【図１６】
0005133462.tif 000017